(57)【要約】【課題】項目の選択を容易化することのできる情報処理装置の提供。【解決手段】情報処理装置は、複数のキーのうちの２以上のキーが所定時間内にそれぞれ押下された状態となった同時押下操作を検出可能な入力部を備え、前記キーの操作によりユーザから項目の選択を受け付ける項目選択画面にて、前記２以上のキーの同時押下操作を検出すると、前記項目選択画面から前記２以上のキーをそれぞれ前後して押下した場合に表示される項目を抽出して表示する。【選択図】図１
2011008624.tif 000002
【特許請求の範囲】
【請求項１】
複数のキーのうちの２以上のキーが所定時間内にそれぞれ押下された状態となった同時押下操作を検出可能な入力部を備え、
前記キーの操作によりユーザから項目の選択を受け付ける項目選択画面にて、前記２以上のキーの同時押下操作を検出すると、前記項目選択画面から前記２以上のキーをそれぞれ前後して押下した場合に表示される項目を抽出して表示すること、
を特徴とする情報処理装置。
【請求項２】
前記複数のキーには、それぞれ固有の情報が割り当てられており、
前記項目選択画面にて、前記２以上のキーの同時押下操作を検出すると、前記各キーに割り当てられた情報を出力する請求項１の情報処理装置。
【請求項３】
前記各キーに割り当てられた情報は、音の高さを示す音高情報であり、
前記項目選択画面でのキーの操作時に、各キーに割り当てられた音高の音を出力する請求項２の情報処理装置。
【請求項４】
前記各キーに割り当てられた情報は、音の高さを示す音高情報であり、
前記項目選択画面でのキーの操作時に、画面に表示された楽譜上に、各キーに割り当てられた音高に対応する音符を表示する請求項２の情報処理装置。
【請求項５】
キーの操作によりユーザから項目の選択を受け付ける項目選択画面にて、複数のキーのうちの２以上のキーが所定時間内にそれぞれ押下された状態となった同時押下操作を検出すると、前記項目選択画面から前記２以上のキーをそれぞれ前後して押下した場合に表示される項目を抽出して表示するステップと、
前記表示した項目のいずれかの選択を受け付けるステップと、を含む項目選択受付方法。
【請求項６】
キーの操作によりユーザから項目の選択を受け付ける項目選択画面にて、複数のキーのうちの２以上のキーが所定時間内にそれぞれ押下された状態となった同時押下操作を検出すると、前記項目選択画面から前記２以上のキーをそれぞれ前後して押下した場合に表示される項目を抽出して表示する表示する処理と、
前記表示した項目のいずれかの選択を受け付ける処理と、をコンピュータに実行させるプログラム。
【発明の詳細な説明】
【技術分野】
【０００１】
本発明は、情報処理装置、項目選択受付方法およびプログラムに関し、特に、ユーザから項目の選択を受け付ける情報処理装置、項目選択受付方法およびプログラムに関する。
【背景技術】
【０００２】
携帯電話端末やＰＤＡ（Ｐｅｒｓｏｎａｌ  Ｄｉｇｉｔａｌ  Ａｓｓｉｓｔａｎｔ）等の機器では、ディスプレイやキーボード等の制約から、多数の項目から特定の項目の選択を受け付ける際に、これら項目を階層化したツリー構造を用意して、ユーザの項目選択操作に従って、項目選択画面を切り替えていく方式が広く採用されている。
【０００３】
特に、携帯電話端末やデジタルカメラ等においては多機能化が目覚しく、上記ツリーの枝および階層が増えてきており、入力操作の複雑化や操作数の増大による操作性の低下が懸念されている。このような観点から、特許文献１には、２つのポインティングデバイスを備えて、ある階層の項目選択と、その上位の階層の項目選択を行いうるようにした携帯情報端末が開示されている。
【０００４】
また、特許文献２には、鍵盤状の発光キーを設けて、演奏操作をガイドする演奏ガイドデータに従って、前記発光キーを光学的に視覚表示させることのできる携帯電話が開示されている。
【先行技術文献】
【特許文献】
【０００５】
【特許文献１】特開２００２−１１１８３９号公報
【特許文献２】特開２００１−２７４８６９号公報
【発明の概要】
【発明が解決しようとする課題】
【０００６】
上記特許文献１にも記載されているとおり、近年の情報処理装置は、多機能化とともにユーザが所望の機能やデータ等の項目を選択するまでの操作数が増大し、また、その途中経過で表示される選択肢も増大している傾向にある。このため、当該機器の操作に不慣れな者にとっては、しばしば間違った項目を選択してしまったり、現在表示されている階層がわからなくなってしまったりして、結果としてマニュアルや他の者の助けを借りなければならないといった事態が生じている。
【０００７】
この点、特許文献１の携帯情報端末では、上記２つのポインティングデバイスの使い分けを行う必要があり、２つ目のポインティングデバイスを使いこなせなければ、操作数を低減できないという問題点がある。
【０００８】
この点、特許文献２の携帯電話によれば、演奏操作のガイドを行うことができるが、上記所望の項目にたどり着くまでの操作数や選択肢の数を低減することは不可能である。
【０００９】
これらは携帯電話端末に限らず、各種の組み込み製品における機能等の選択時や、パーソナルコンピュータにおける項目の選択時にも共通するものである。
【００１０】
本発明は、上記した事情に鑑みてなされたものであって、階層化されたツリー構造を用いてユーザから項目の選択を受け付ける際の操作数やその途中で表示される選択肢の数を低減し、目的とする項目の選択を容易化することのできる情報処理装置を提供することにある。
【課題を解決するための手段】
【００１１】
本発明の第１の視点によれば、複数のキーのうちの２以上のキーが所定時間内にそれぞれ押下された状態となった同時押下操作を検出可能な入力部を備え、前記キーの操作によりユーザから項目の選択を受け付ける項目選択画面にて、前記２以上のキーの同時押下操作を検出すると、前記項目選択画面から前記２以上のキーをそれぞれ前後して押下した場合に表示される項目を抽出して表示する情報処理装置が提供される。
【００１２】
本発明の第２の視点によれば、キーの操作によりユーザから項目の選択を受け付ける項目選択画面にて、複数のキーのうちの２以上のキーが所定時間内にそれぞれ押下された状態となった同時押下操作を検出すると、前記項目選択画面から前記２以上のキーをそれぞれ前後して押下した場合に表示される項目を抽出して表示するステップと、前記表示した項目のいずれかの選択を受け付けるステップと、を含む項目選択受付方法が提供される。なお、本方法は、ユーザに対して項目を提示し、ユーザから項目の選択を受け付けるコンピュータという、特定の機械に結びつけられている。
【００１３】
本発明の第３の視点によれば、キーの操作によりユーザから項目の選択を受け付ける項目選択画面にて、複数のキーのうちの２以上のキーが所定時間内にそれぞれ押下された状態となった同時押下操作を検出すると、前記項目選択画面から前記２以上のキーをそれぞれ前後して押下した場合に表示される項目を抽出して表示する表示する処理と、前記表示した項目のいずれかの選択を受け付ける処理と、をコンピュータに実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１４】
本発明によれば、階層化されたツリー構造を用いてユーザから項目の選択を受け付ける際の操作数やその途中で表示される選択肢の数を低減し、目的とする項目の選択を容易化することが可能になる。その理由は、２以上のキーが所定時間同時に押下された場合に、当該時点の項目選択画面から前記２以上のキーをそれぞれ前後して押下した場合に表示される項目を抽出して表示するよう構成したことにある。
【図面の簡単な説明】
【００１５】
【図１】本発明の概要を説明するための図である。
【図２】本発明の第１の実施形態に係る携帯電話端末の外観を表した図である。
【図３】本発明の第１の実施形態に係る携帯電話端末の構成を表したブロック図である。
【図４】本発明の第１の実施形態に係る携帯電話端末の動作を説明するための図である。
【図５】本発明の第１の実施形態に係る携帯電話端末の動作を説明するための図である。
【図６】本発明の第１の実施形態に係る携帯電話端末の動作を説明するための図である。
【図７】本発明の第１の実施形態に係る携帯電話端末の動作を説明するための図である。
【図８】本発明の変形実施形態を説明するための図である。
【図９】本発明の変形実施形態を説明するための図である。
【発明を実施するための形態】
【００１６】
続いて、本発明の概要について説明する。本発明は、複数のキーのうちの２以上のキーが所定時間内にそれぞれ押下された状態となった同時押下操作を検出可能な入力部を備え、ユーザから機能の選択や処理対象データの選択等を受け付ける情報処理装置に適用することができる。本発明に係る情報処理装置は、ｎ個のキーが同時に押下された場合、項目選択画面からこれらのキーをそれぞれ時間的に前後して押下した場合のｎ！通りの操作が行われた場合に表示される項目を抽出して表示する。
【００１７】
図１の下段に示すように、１オクターブに相当する１ａ１〜１ｌ１２の１２個の鍵盤状のキーがあり、キー１ａ１は、項目Ａまたは項番１、キー１ｂ２は、項目Ｂまたは項番２というように、左から順に、アルファベットまたは数字と対応付けられているものとする。例えば、ユーザがキー１ａ１〜１ｌ１２のうちのドミソ（１ａ１、１ｅ５、１ｈ８）を同時に押下した場合、情報処理装置は、それぞれのキーが順番に押下された場合に表示されるべき項目を抽出して表示する。即ち、情報処理装置は、項目Ａ（項番１）、項目Ｅ（項番５）、項目Ｈ（項番８）の組み合わせを抽出し、合計６通りの項目を表示する。
【００１８】
項目Ａ−５−８を選択したいユーザは、キー１ａ１、キー１ｅ５、キー１ｈ８を同時に押すことで、項目Ａ−５−８を含むリストを呼び出すことが可能になり、キー１ａ１、キー１ｅ５、キー１ｈ８を順番に押し、各階層の項目選択画面を閲覧して次の項目を選択する操作を繰り返す操作を省くことが可能になる。
【００１９】
以上のように、本発明によれば、例えば、階層化された多数の選択対象の項目の中から所望の項目を選択する過程で、階層毎に項目一覧を参照し、１階層ずつ項目を選択していく手間を削減することが可能になる。例えば、上記項目Ａ−５−８が、機能メニューのうちの（設定−サウンド設定―着信音設定）である場合、ユーザは、図１の左側上段に例示するトップメニュー（図１の左上図参照）から、ドミソに相当するキーを同時押しすることで、すぐに着信音設定機能を利用することができる。
【００２０】
［第１の実施形態］
続いて、本発明を携帯電話端末に適用した本発明の第１の実施形態について図面を参照して詳細に説明する。図２は、本発明の第１の実施形態に係る携帯電話端末の外観を表した図である。
【００２１】
図２を参照すると、液晶表示装置等によって構成された表示部１０７が設けられたレシーバ側筺体と、鍵盤状のキー１ａ１〜１ｌ１２および音色変更等に用いるファンクションキー１１４、ポインティングデバイス１１５等が配設された操作部１０９が設けられたマイク側筺体とによって構成された携帯電話端末１０が示されている。
【００２２】
図２の携帯電話端末１０は、通信機能（通話、メール送受信、インターネット接続）、ＴＶ放送受信機能やＧＰＳ（Ｇｌｏｂａｌ  Ｐｏｓｉｔｉｏｎｉｎｇ  Ｓｙｓｔｅｍ）測位機能等を備えているものとする。図３は、図２の携帯電話端末の構成を表したブロック図である。図３を参照すると、無線通信部１０１と、放送受信部１０２と、カメラ部１０３と、音声処理部１０４と、表示部１０７と、測位部１１１と、操作部１０９と、スピーカ部１１０と、記憶部１１２と、制御部１１３と、を備えた携帯電話端末１０の構成が示されている。
【００２３】
無線通信部１０１は、アンテナを介して図示しない基地局装置との間で無線により情報の送受を行う。
【００２４】
放送受信部１０２は、放送局（地上局、衛星など）から送信された放送信号を、アンテナを介して受信し、該受信した信号を復調して映像データ、音声データ、情報データ等として出力する処理を行う。
【００２５】
音声処理部１０４は、マイク（送話部）１０５およびレシーバ（受話部）１０６と接続され、マイク１０５およびレシーバ１０６を介して入出力された音声信号の処理を行う。
【００２６】
表示部１０７は、画像、図形、文字、記号などの情報表示出力を行う。操作部１０９は、鍵盤状に配列され、それぞれが１オクターブを構成する音高が割り当てられているキー１ａ１〜１ｌ１２および音色変更等に用いるファンクションキー１１４、ポインティングデバイス１１５等から構成され、上述した同時押下操作を検出可能な入力部に相当する。なお、操作部１０９のほかに、抵抗膜方式や静電容量方式等のタッチパネルを表示部１０７や別途設けた第２の表示部に併設することもできる。なお、タッチパネルを同時押下操作を検出する入力部として用いる場合、多点検出に適した静電容量方式等のものを用いることが望ましい。
【００２７】
スピーカ部１１０は、楽音や報知音などの鳴音出力を行う。鍵盤状のキー１ａ１〜１ｌ１２の操作時に楽音を出力する場合、スピーカ部１１０または図示省略するイヤホン端子から楽音を出力することになる。
【００２８】
測位部１１１は、図示しないＧＰＳ衛星から発信されたＧＰＳ測位信号に基づいて自機の位置座標を求める。
【００２９】
記憶部１１２は、電話帳情報、送受信メール情報、発着呼情報、コンテンツやアプリケーションプログラム、撮影画像および携帯電話端末１０の諸設定情報等の格納先として使用される。
【００３０】
制御部１１３は、記憶部１１２に格納されたプログラムを読み出して実行し、電話機能、メール機能、インターネット（ｗｅｂ）接続機能、カメラ機能、テレビ受信機能、コンテンツ再生機能、測位機能、その他の端末の有する機能や各部の制御を行う。制御部１１３は、後記する方法を用いて、ユーザから起動したい機能の選択を受け付ける。
【００３１】
続いて、本実施形態の携帯電話端末の動作について図面を参照して詳細に説明する。本実施形態の携帯電話端末１０は、上記鍵盤状のキー１ａ１〜１ｌ１２を操作してスピーカ部１１０から楽音を出力させる楽器モードと、多機能携帯電話として用いるノーマルモードとを有する。楽器モードにおける携帯電話端末１０の動作については、各種の電子楽器装置や楽器機能を備えた携帯端末等と同様である。例えば、特許文献２のようにキー１ａ１〜１ｌ１２内に発光機能を備えて、演奏ガイド演奏ガイドデータに従って演奏ガイドを行うようにしてもよい。
【００３２】
はじめに、本発明に係る同時押下操作による項目選択方法との比較のため、携帯電話端末１０の動作モードがノーマルモードである場合における機能選択機能の動作について説明する。制御部１１３は、ユーザから所定のキー押下等による機能選択画面起動操作を受け付けると、図４の左上図に示すように、携帯電話端末１０の表示部１０７に、項目Ａ〜項目Ｌまでの項目リストと、五線譜を表示する。
【００３３】
前記項目Ａ〜項目Ｌは、放送受信部１０２によるＴＶ放送受信機能、カメラ部１０３による撮像（動画、静止画）機能、測位部１１１による位置情報測位機能等、携帯電話端末１０に備えられた機能項目にそれぞれ対応する。鍵盤状のキー１ａ１〜１ｌ１２は、前記項目Ａ〜項目Ｌにそれぞれ対応している。例えば、ユーザが項目Ａを選択しようとしてキー１ａ１を押下すると、キー１ａ１に対応する楽音が出力され、図４の中央上図のように、項目Ａの下位の項目Ａ−１〜Ａ−１０と、キー１ａ１に対応する音符が五線譜上に表示される。ここでは、キー１ａ１はドの位置の鍵に対応しているので、音高ドの楽音出力と、ドの位置に音符が書き込まれる。なお、図４の例では、８分音符の音符で表しているが、実際にキー１ａ１を押下した時間に応じて音符の種類を変えるようにしてもよい。
【００３４】
続いて、ユーザが項目Ａ−１〜Ａ−１０のうちの項目Ａ−８を選択しようとしてキー１ｈ８を押下すると、キー１ｈ８に対応する楽音が出力され、図４の右上図のように、項目Ａ−８の下位の項目Ａ−８−１〜Ａ−８−６と、キー１ｈ８に対応する音符が五線譜上に表示される。ここでは、キー１ｈ８はソの位置の鍵に対応しているので、音高ソの楽音出力と、前記ドの音符に続けてソの位置に音符が書き込まれる。
【００３５】
同様に、図５の左上図に示すように、携帯電話端末１０の表示部１０７に、項目Ａ〜項目Ｌまでの項目リストと五線譜が表示されている状態にて、ユーザが項目Ｈを選択しようとしてキー１ｈ８を押下すると、キー１ｈ８に対応する楽音が出力され、図５の中央上図のように、項目Ｈの下位の項目Ｈ−１〜ｈ−７と、キー１ｈ８に対応する音符が五線譜上に表示される。キー１ｈ８はソの位置の鍵に対応しているので、音高ソの楽音出力と、ソの位置に音符が書き込まれる。
【００３６】
続いて、ユーザが項目Ｈ−１〜Ｈ−７のうちの項目Ｈ−１を選択しようとしてキー１ａ１を押下すると、キー１ａ１に対応する楽音が出力され、図５の右上図のように、項目Ｈ−１の下位の項目Ｈ−１−１〜Ｈ−１−４と、キー１ａ１に対応する音符が五線譜上に表示される。ここでは、キー１ａ１はドの位置の鍵に対応しているので、音高ドの楽音出力と、前記ソの音符に続けてドの位置に音符が書き込まれる。
【００３７】
本発明に係る同時押下操作による項目選択方法について説明する。図６の左上図に示すように、携帯電話端末１０の機能選択画面にて、項目Ａ〜項目Ｌまでの項目リストと、五線譜を表示する点は、上記した図４、図５の左上図と同様である。
【００３８】
［同時押下操作キー数＝２］
図６の左上図の状態から、ユーザが２以上のキーを同時に押下すると、制御部１１３は、これらのキーがそれぞれ順番に押下された場合に表示されるべき項目を抽出して表示する。ここで、「同時」とは、厳密に同時であることを要求するものではなく、少なくとも所定の時間内に、２つのキーが押下状態になり、その状態が継続していれば足りるものとする。
【００３９】
例えば、ユーザがキー１ａ１とキー１ｈ８とを同時に押下した場合、制御部１１３は、スピーカ部１１０からドとソの音を出力させるとともに、キー１ａ１が先に押下されて次にキー１ｈ８が押下された場合に表示される項目Ａ−８−１〜Ａ−８−６と（図４の右上図参照）、キー１ｈ８が先に押下されて次にキー１ａ１が押下された場合に表示される項目Ｈ−１−１〜Ｈ−１−４と（図５の右上図参照）を表示する。結果として表示部１０７には、項目Ａ−８−１〜Ａ−８−６、項目Ｈ−１−１〜Ｈ−１−４との１０項目が表示される。
【００４０】
例えば、ユーザが利用したい機能が項目Ａ−８−２である場合、ユーザは、図４に示した順序で操作するのではなく、図６に示したようにキー１ａ１とキー１ｈ８とを同時に押下することで、目的とする項目にたどり着くことができる。
【００４１】
また、上記のように項目の選択とともに楽音の出力も行われるため、ドとソという音で、操作内容を覚えたり、人に教えたりすることが可能になる。また、ドとソという音が出力されたことを確認し、あるいは、五線譜上に表示された音符を確認することで、操作内容を確認することも可能になる。特に、携帯電話端末が所謂マナーモードに設定されているような場合は、上記五線譜上に表示された音符を確認することで、操作が正しく行われたことを確認することができる。
【００４２】
なお、図６の例では、五線譜上に、キーの押下を検出した順序で、ドとソの順番で音符を表示しているが、例えば、和音記号のように全音符等を用いてドとソを同一の時間的位置に上下に表示するようにしてもよい。
【００４３】
［同時押下操作キー数＝３］
続いて、３つのキーの同時押下を検出した場合の動作について説明する。ユーザが３以上のキーを同時に押下すると、制御部１１３は、これらのキーがそれぞれ順番に押下された組み合わせ、つまり３！＝６通りの操作が行われた場合に表示されるべき項目を抽出して表示する。
【００４４】
例えば、ユーザがキー１ａ１とキー１ｅ５とキー１ｈ８とを同時に押下した場合、制御部１１３は、スピーカ部１１０からドとミとソの和音を出力させるとともに、（キー１ａ１、キー１ｅ５、キー１ｈ８）、（キー１ａ１、キー１ｈ８、キー１ｅ５）、（キー１ｅ５、キー１ａ１、キー１ｈ８）、（キー１ｅ５、キー１ｈ８、キー１ａ１）、（キー１ｈ８、キー１ａ１、キー１ｅ５）、（キー１ｈ８、キー１ｅ５、キー１ａ１）との６通りの組み合わせを抽出し、表示部１０７に図１に示すように、項目Ａ−５−８、項目Ａ−８−５、項目Ｅ−１−８、項目Ｅ−８−１、項目Ｈ−１−５、項目Ｈ−５−１を抽出して、表示する。
【００４５】
ここで例えば、図５の右上図に示したように、項目Ｈ−１の下位項目がＨ−１−１〜Ｈ−１−４までしかない場合、上記Ｈ−１−５は、表示されないことになり、図７に示すように、項目Ａ−５−８、項目Ａ−８−５、項目Ｅ−１−８、項目Ｅ−８−１、項目Ｈ−５−１の５項目が表示されることになる。
【００４６】
例えば、ユーザが利用したい機能が項目Ｈ−５−１である場合、ユーザは、図５に示した順序で操作するのではなく、図１、図７に示したようにキー１ａ１とキー１ｅ５とキー１ｈ８とを同時に押下することで、目的とする項目にたどり着くことができる。
【００４７】
また、上記のように項目の選択とともに楽音の出力も行われるため、ドとミとソの和音（コード）で、操作内容を覚えたり、人に教えたりすることが可能になる。また、ドとミとソの和音（コード）が出力されたことを確認し、あるいは、五線譜上に表示された音符を確認することで、操作内容を確認することも可能になる。
【００４８】
以上のように本実施形態によれば、携帯電話端末やＰＤＡの多く機能の中から使用したい機能を起動する際に、トップメニューから階層をたどって所望の機能項目を選択起動する操作方法のほか、複数のキーの同時押下操作にて目的の機能を呼び出すことのできる操作方法をユーザに提供することが可能になる。
【００４９】
以上、本発明の実施形態を説明したが、本発明は、上記した実施形態に限定されるものではなく、本発明の基本的技術的思想を逸脱しない範囲で、更なる変形・置換・調整を加えることができる。例えば、上記した実施形態では、携帯電話端末に適用した例を挙げて説明したが、ＰＤＡ、ＰＣ（パーソナルコンピュータ）、各種組み込み機器や車載端末等の多数の項目を階層化してユーザに提示し、上位の項目から段階的に選択させる処理を行う情報処理装置一般に適用することが可能である。このとき、入力部は、装置本体に配設されている必要はなく、例えば、リモートコントローラにて同時押下操作を検出するものとしてもよい。
【００５０】
また例えば、上記した実施形態では、複数のキーの同時操作検出時に、スピーカ部１１０からの音の出力と、表示部１０７への楽譜の表示との双方を行うものとして説明したが、いずれか一方を省略してもよいことはもちろんである。
【００５１】
また、上記した実施形態では、同時操作キーの数が２の場合と３の場合を説明したが、同時操作キーの数が４以上であってもよい。
【００５２】
また、上記した実施形態では、携帯電話端末の機能を選択する例を挙げて説明したが、例えば、各種機器の設定を変更する項目の選択、処理対象フォルダやファイルの選択等、階層構成を持つ多数の項目群の中から、任意の項目の選択を受け付ける場合にも適用することが可能である。
【００５３】
また携帯電話端末に適用する場合、さらなる変形構成が可能である。例えば、上記した実施形態では、図２に携帯電話端末の構成を例示したが、例えば、図８に示すように、表示部１０７と操作部１０９とを相対回転できるように構成してもよい。このようにすることにより、鍵盤楽器のようになり、複数キーの同時押下操作が一層容易化される。
【００５４】
また、上記した実施形態では、例えば、図９に示すように、操作部１０９側に、第２の表示部１１６を設けて、鍵盤状のキーの上方に楽譜が表示されるようにしてもよい。このようにすることにより、操作したキーの視認性が一層向上する。
【００５５】
また、上記した実施形態では、各キーが１オクターブ分の鍵に対応し、それぞれ音高を割り当て操作時に、音および楽譜の表示を行うものとして説明したが、各キーにその他の情報をそれぞれ割り当て、操作時にこれらの情報を出力させるようにしてもよい。例えば、各キーにそれぞれ固有の色、文字、図形等を割り当て、同時押下操作の検出時に、各キーに対応付けられた色、文字、図形等をそれぞれ表示する態様を採ることができる。
【００５６】
さらに、上記した実施形態では、操作部１０９はハードウェアキーにて構成されているものとして説明したが、鍵盤状のキーまたはすべてのキーをタッチパネル上に表示されたソフトウェアキーにて実現することも可能である。
【符号の説明】
【００５７】
１０  携帯電話端末
１０１  無線通信部
１０２  放送受信部
１０３  カメラ部
１０４  音声処理部
１０５  マイク
１０６  レシーバ
１０７  表示部
１０９  操作部
１１０  スピーカ部
１１１  測位部
１１２  記憶部
１１３  制御部
１１４  ファンクションキー
１１５  ポインティングデバイス
１１６  第２の表示部
１ａ１〜１ｌ１２  キー
【図１】
2011008624.tif 000003
【図２】
2011008624.tif 000004
【図３】
2011008624.tif 000005
【図４】
2011008624.tif 000006
【図５】
2011008624.tif 000007
【図６】
2011008624.tif 000008
【図７】
2011008624.tif 000009
【図８】
2011008624.tif 000010
【図９】
2011008624.tif 000011